(57)【要約】【課題】乗客コンベアに用いられるチェーンへの潤滑油の供給不良を適時に発見および解消することができる乗客コンベア用給油監視システムを提供することである。【解決手段】エスカレータを駆動するチェーン２５，３２に対向して配置された給油ノズル３６ａ，３６ｂと、給油ノズル３６ａ，３６ｂに接続される給油配管４０ａ，４０ｂと、タンク４８に貯留された潤滑油を給油配管４０ａ，４０ｂを介して給油ノズル３６ａ，３６ｂに供給するポンプ４６と、給油ノズル３６ａ，３６ｂに供給される潤滑油の圧力を検出する圧力センサ３８ａ，３８ｂと、ポンプ４６の作動を制御するコントローラ５０とを備える。コントローラ５０は、ポンプ４６の作動によって給油ノズル３６ａ，３６ｂに潤滑油が供給されたときに圧力センサ３８ａ，３８ｂによって検出される給油圧が予め設定された適正範囲内にない場合に発報信号を生成する。【選択図】図２
2014094806.tif 000002
【特許請求の範囲】
【請求項１】
乗客コンベアを駆動するチェーンに対向して配置された少なくとも１つの給油ノズルと、
前記給油ノズルに接続される給油配管と、
タンクに貯留された潤滑油を前記給油配管を介して前記給油ノズルに供給するポンプと、
前記給油ノズルに供給される潤滑油の圧力を検出する圧力センサと、
前記ポンプの作動を制御するコントローラと、を備え、
前記コントローラは、前記ポンプの作動によって前記給油ノズルに潤滑油が供給されたときに前記圧力センサによって検出される給油圧が予め設定された適正範囲内にない場合に発報信号を生成する、
乗客コンベア用給油監視システム。
【請求項２】
請求項１に記載の乗客コンベア用給油監視システムにおいて、
潤滑油の温度を検出する温度センサをさらに備え、前記コントローラは前記温度センサによって検出された潤滑油の温度に基づいて前記給油圧の適正範囲を変更することを特徴とする、乗客コンベア用給油監視システム。
【請求項３】
請求項２に記載の乗客コンベア用給油監視システムにおいて、
前記給油ノズルと前記圧力センサとの間の給油配管に連結された圧力調整弁をさらに備え、前記コントローラは、前記コントローラは前記温度センサによって検出された潤滑油の温度と前記圧力調整弁の弁開度情報とに基づいて前記給油圧の適正範囲を変更することを特徴とする、乗客コンベア用給油監視システム。
【請求項４】
請求項２〜３のいずれか一項に記載の乗客コンベア用給油監視システムにおいて、
前記コントローラは、前記温度センサによって検出される潤滑油の温度が所定温度より低いとき、前記ポンプの回転数を増加させて前記給油ノズルから前記チェーンに供給される潤滑油の量を一定にしたうえで前記給油圧が適正か否かを判定することを特徴とする、乗客コンベア用給油監視システム。
【発明の詳細な説明】
【技術分野】
【０００１】
本発明は、エスカレータ等の乗客コンベアにおいて用いられるチェーンへの潤滑油の給油状態を監視するシステムに関する。
【背景技術】
【０００２】
従来、商業施設や公共施設等にエスカレータが広く設置されている。エスカレータは、多数の踏段が階段状に連なって移動し、踏段上の乗った利用者を上階と下階との間で搬送するものである。上り移動するエスカレータでは、多数の踏段が上階乗降口において下側に潜り込み、そこからトラス内を上階から下階へと移動し、そして下階乗降口で上側に現れて、利用者が乗り込めるようになる。一方、下り移動するエスカレータでは、多数の踏段がこの逆で移動する。
【０００３】
上記にように移動する多数の踏段には、幅方向両側に無端状のステップチェーンがそれぞれ連結されている。そして、これらのステップチェーンがモータ駆動によって回転するスプロケットで上階と下階の間を周回移動することによって、上記踏段を移動させるように構成されている。
【０００４】
上記ステップチェーンは、金属製であり、発錆が生じると強度低下や破断等の不具合が発生する可能性が高くなる。そのため、ステップチェーンに定期的に潤滑油を塗布または供給することによって、ステップチェーンの防錆を行っている。このようなステップチェーンへの潤滑油の供給は、保守員によって人的に行われたり、あるいは、ステップチェーンに対向配置された給油ノズルから潤滑油を定期的に自動吐出させることによって行われたりする。
【０００５】
例えば、特許文献１には、モータの動力をステップチェーン駆動用スプロケットに伝達する駆動用チェーンに、異常音発生時に潤滑油を自動的に供給するように構成したエスカレータが記載されている。
【０００６】
また、特許文献２には、ステップチェーンに潤滑油を自動給油するためのノズルを備えたエスカレータが開示されている。このエスカレータでは、潤滑油を貯留する給油タンクが各階にそれぞれ設けられ、最上階の給油タンクから各階の給油タンクへと配管を介して順次に流れるように構成して、各階給油タンクへの給油作業を改善することが記載されている。
【０００７】
また、特許文献３には、エスカレータの駆動部に一定時間毎に潤滑油を供給する潤滑油供給装置において、周囲の温度を検出するための温度検知手段と、温度に応じて潤滑油を供給する時間を調整する手段とを備え、温度検出手段によって検出された温度によって潤滑油の給油時間を該調整手段により変化させることで潤滑油の粘度に関係なく常に一定量の潤滑油を供給する構成としたエスカレータ用潤滑油供給装置が記載されている。
【０００８】
また、特許文献４には、上部機械室に入ることなく、エスカレータのチェーンオイル給油装置のオイルタンク内にオイル残存量を容易に点検でき、また簡便にオイルタンクにオイルを補給可能にしたチェーンオイル補給装置が記載されている。
【０００９】
さらに、特許文献５には、屋外型エスカレータにおいて、通常の運転時間積算によるインターバル給油に加えて、エスカレータに雨滴センサを設けて雨の降りだし時に追加給油してチェーンの油切れを防止することが記載されている。
【先行技術文献】
【特許文献】
【００１０】
【特許文献１】特開２０１０−２０２３４９号公報
【特許文献２】特開２００５−２１９８９３号公報
【特許文献３】特開平１１−１８０６６８号公報
【特許文献４】特開平９−１２４２６５号公報
【特許文献５】特開平７−７６４８１号公報
【発明の概要】
【発明が解決しようとする課題】
【００１１】
上記特許文献１〜５には、エスカレータのステップチェーンや駆動チェーンに自動給油する構成が記載されているが、チェーンに適正量の潤滑油の供給が行われているかどうかは保守員が休日や夜間等にエスカレータを停止した状態で目視にて行っているのが実情である。そのため、潤滑状態の確認作業に手間と時間がかかり、場合によって保守員訪問のインターバルが空いた場合には潤滑油不足の状態での運転期間が長くなってしまう恐れがある。
【００１２】
本発明の目的は、乗客コンベアに用いられるチェーンへの潤滑油の供給不良を適時に発見および解消することができる乗客コンベア用給油監視システムを提供することである。
【課題を解決するための手段】
【００１３】
本発明に係る乗客コンベア用給油監視システムは、乗客コンベアを駆動するチェーンに対向して配置された少なくとも１つの給油ノズルと、前記給油ノズルに接続される給油配管と、タンクに貯留された潤滑油を前記給油配管を介して前記給油ノズルに供給するポンプと、前記給油ノズルに供給される潤滑油の圧力を検出する圧力センサと、前記ポンプの作動を制御するコントローラと、を備え、前記コントローラは、前記ポンプの作動によって前記給油ノズルに潤滑油が供給されたときに前記圧力センサによって検出される給油圧が予め設定された適正範囲内にない場合に発報信号を生成するものである。
【００１４】
本発明に係る乗客コンベア用給油監視システムにおいて、潤滑油の温度を検出する温度センサをさらに備え、前記コントローラは前記温度センサによって検出された潤滑油の温度に基づいて前記給油圧の適正範囲を変更してもよい。
【００１５】
また、本発明に係る乗客コンベア用給油監視システムにおいて、前記給油ノズルと前記圧力センサとの間の給油配管に連結された圧力調整弁をさらに備え、前記コントローラは、前記コントローラは前記温度センサによって検出された潤滑油の温度と前記圧力調整弁の弁開度情報とに基づいて前記給油圧の適正範囲を変更してもよい。
【００１６】
さらに、本発明に係る乗客コンベア用給油監視システムにおいて、前記コントローラは、前記温度センサによって検出される潤滑油の温度が所定温度より低いとき、前記ポンプの回転数を増加させて前記給油ノズルから前記チェーンに供給される潤滑油の量を一定にしたうえで前記給油圧が適正か否かを判定してもよい。
【発明の効果】
【００１７】
本発明に係る乗客コンベア用給油監視システムによれば、ポンプの作動によって給油ノズルに潤滑油が供給されたときに圧力センサによって検出される給油圧が予め設定された適正範囲内にない場合にコントローラによって発報信号を生成する構成とした。これにより、給油ノズルからチェーンに適正量の潤滑油が供給されていないことを適時に且つ容易に検知することができ、チェーンの潤滑油不足による発錆を効果的に防止することができる。
【図面の簡単な説明】
【００１８】
【図１】本発明の第１実施形態である給油監視システムが適用されるエスカレータの全体構成を概略的に示す図である。
【図２】第１実施形態である給油監視システムの構成を示すブロック図ある。
【図３】図２の給油監視システムのコントローラにおける処理手順を示すフローチャートである。
【図４】第２実施形態である給油監視システムの構成を示すブロック図ある。
【図５】図４の給油監視システムのコントローラにおける処理手順を示すフローチャートである。
【図６】第３実施形態である給油監視システムの構成を示すブロック図ある。
【図７】図６の給油監視システムのコントローラにおける処理手順を示すフローチャートである。
【発明を実施するための形態】
【００１９】
以下に、本発明に係る実施の形態について添付図面を参照しながら詳細に説明する。この説明において、具体的な形状、材料、数値、方向等は、本発明の理解を容易にするための例示であって、用途、目的、仕様等にあわせて適宜変更することができる。また、以下において複数の実施形態や変形例などが含まれる場合、それらの特徴部分を適宜に組み合わせて用いることは当初から想定されている。
【００２０】
＜第１実施形態＞
図１は、本発明の第１実施形態である給油監視システム１が適用されるエスカレータ１０の全体構成を概略的に示す図である。図１に示すように、エスカレータ１０は、上階と下階とに架設されてエスカレータ自体を下方から支持する例えば金属板製のトラス１２と、トラス１２の上部に設けられる移動手摺１４および欄干部１６とを備える。
【００２１】
トラス１２は、上階乗降口１８の床に設置される上部トラス部１２ａ、下階乗降口２０の床に設置される下部トラス部１２ｂ、および上部トラス部１２ａと下部トラス部１２ｂとの間を傾斜した姿勢で連結する傾斜トラス部１２ｃを含んで構成される。
【００２２】
上部トラス部１２ａは、上階乗降口１８の床と面一をなす取り外し可能なランディングプレート２２で覆われている。上部トラス部１２ａ内には、モータ２４および減速機等を含む駆動ユニットや、駆動ユニットによって回動駆動される駆動スプロケット２６が配置されている。モータ２４の駆動軸に取り付けられる駆動ギヤと駆動スプロケット２６とには、無端状の駆動チェーン２５が掛け渡されている。これにより、モータ２４による駆動力が駆動チェーン２５を介して駆動スプロケット２６に伝達されるようになっている。一方、下部トラス部１２ｂ内には、従動スプロケット２８が配置されている。
【００２３】
トラス１２内には、多数の踏段３０が設けられている。各踏段３０の幅方向両端部には、駆動スプロケット２６と従動スプロケット２８とに掛け渡された無端状のステップチェーン３２が固定されている。これにより、モータ２４によって駆動スプロケット２６が回転駆動されることによって、各踏段３０は階段状をなしながら下階と上階との間を上り周回移動または下り周回移動するようになっている。
【００２４】
下階乗降口２０の床には、下部トラス部１２ｂの上方を覆ってランディングプレート３４が設置されている。ランディングプレート３４は、下階乗降口２０の床と面一をなして取り外し可能に設けられている。ランディングプレート３４は、上階のランディングプレート２２と同様に、金属製の板部材により形成されている。
【００２５】
モータ２４と駆動スプロケット２６とを動力連結する駆動チェーン２５には、給油ノズル３６ａが上方位置に対向配置されている。給油ノズル３６ａは、駆動チェーン２５に潤滑油を供給して塗布することによって、駆動チェーン２５に対する防錆と潤滑性の付与を図るものである。給油ノズル３６ａは、１本の駆動チェーン２５に対して複数設けられてもよい。
【００２６】
ステップチェーン３２についても同様に、駆動スプロケット２６の近傍位置で潤滑油を供給する給油ノズル３６ｂが上方位置に対向配置されている。給油ノズル３６ｂは、ステップチェーン３２に潤滑油を供給して塗布することにより、ステップチェーン３２に対する防錆と潤滑性の付与を図るものである。
【００２７】
ステップチェーン３２は、踏段３０の幅方向（移動方向に直交する水平方向をいう）両側に１本ずつ、計２本設けられているので、給油ノズル３６ｂもまた各ステップチェーン３２に対応してそれぞれ設けられている。なお、１本のステップチェーン３２に対して複数の給油ノズル３６ｂが設けられてもよい。
【００２８】
なお、エスカレータ１０には、踏段３０の移動に同期して移動手摺１４を周回駆動するための無端状の手摺チェーン（図示せず）が設けられていてもよい。その場合、手摺チェーンに潤滑油を供給するための更に別の給油ノズルを対向配置することができる。
【００２９】
エスカレータ１０は、さらに、コントローラ５０を備える。コントローラ５０は、中央処理装置（ＣＰＵ）、リードオンリーメモリ（ＲＯＭ）、ランダムアクセスメモリ（ＲＡＭ）などを含んで構成されている。コントローラ５０は、エスカレータ１０全体の作動を制御する機能を有し、インバータ装置５２を介してモータ２４の駆動を制御するようになっている。また、コントローラ５０は、後述する給油ノズル３６ａ，３６による給油が適正に行われているかを開始する機能を有する。
【００３０】
図２は、第１実施形態の給油監視システム１の構成を示すブロック図ある。給油監視システム１は、上記給油ノズル３６ａ，３６ｂと、給油ノズル３６ａ，３６ｂにそれぞれ接続される給油配管４０ａ，４０ｂと、潤滑油を貯留するタンク４８と、タンク４８に貯留された潤滑油を給油配管４０ａ，４０ｂを介して給油ノズル３６ａ，３６ｂに供給するポンプ４６と、給油ノズル３６ａ，３６ｂに供給される潤滑油の圧力を検出する圧力センサ３８ａ，３８ｂと、ポンプ４６の作動を制御するコントローラ５０とを備える。
【００３１】
本実施形態における給油ノズル３６ａ，３６ｂは、潤滑油の供給量または供給速度が異なるタイプのものを用いている。例えば、給油ノズル３６ａは、駆動チェーン２５に対して潤滑油を点滴状に滴下して供給するタイプであり、給油ノズル３６ｂは、ステップチェーン３２に対して潤滑油を糸状または線状に吐出して供給するタイプのものである。ただし、これは例示であって、給油ノズル３６ａが糸状吐出タイプで給油ノズル３６ｂが点滴状吐出タイプであってもよいし、あるいは、２つの給油ノズル３６ａ，３６ｂに同じ吐出タイプのものを用いても構わない。
【００３２】
タンク４８は、エスカレータ１０が設置されている施設の各階に設置されてもよいし、該施設の最上階に１つだけ設置されてそこから各階のエスカレータ１０に配管によって潤滑油を供給するものであってもよい。また、タンク４８には、例えばフロート式の油面センサ（図示せず）を設けて、その検出信号をコントローラ５０に送信してタンク４８内の油量を監視するようにしてもよい。
【００３３】
ポンプ４６は、給油配管４４ｂを介してタンク４８に接続されている。また、ポンプ４６は、給油配管４４ａを介して配管ジョイント４２に接続されている。そして、配管ジョイント４２に分岐して接続された給油配管４０ａ，４０ｂが給油ノズル３６ａ，３６ｂにそれぞれ接続されている。
【００３４】
圧力センサ３８ａは、給油ノズル３６ａの近傍において給油配管４０ａに接続されており、給油ノズル３６ａへの潤滑油の給油圧力を検出してコントローラ５０に送信するようになっている。また、圧力センサ３８ｂは、給油ノズル３６ｂの近傍において給油配管４０ｂに接続されており、給油ノズル３６ｂへの潤滑油の給油圧力を検出してコントローラ５０に送信するようになっている。
【００３５】
コントローラ５０は、後述するように、ポンプ４６の作動を制御して駆動チェーン２５およびステップチェーン３２への潤滑油の供給を実施するとともに、各圧力センサ３８ａ，３８ｂから受信する潤滑油の給油圧に基づいて、各チェーン２５，３２への潤滑油の供給が適正に行われているか否かを監視する機能を有する。
【００３６】
また、コントローラ５０は、電話回線やインターネット等を介して情報センタ５４に発報信号を送信可能に構成されている。ここで、情報センタ５４は、エスカレータ１０が設置されている施設等の管理室であってもよいし、上記施設外にあって多数のエスカレータの監視および管理を集中して行うサービスセンタであってもよい。
【００３７】
さらに、コントローラ５０のＲＯＭには、各給油ノズル３６ａ，３６ｂによって潤滑油が適正に供給されるときの給油圧範囲が予め記憶されている。この給油圧範囲は、実験、シミュレーション、経験等に基づいて得られた数値範囲を設定することができる。また、潤滑油の吐出状態が異なる給油ノズル３６ａと３６ｂとでは、異なる給油圧範囲が適正範囲として設定されている。なお、上記給油範囲は、圧力センサ３８ａ，３８ｂの検出誤差によって給油状態不適正との判定がなされないように考慮して設定するのが好ましい。
【００３８】
続いて、上記構成からなる給油監視システム１の動作について図３を参照しながら説明する。図３は、図２の給油監視システム１のコントローラ５０における処理手順を示すフローチャートである。
【００３９】
コントローラ５０は、ステップＳ１０においてポンプ４６を作動させて、駆動チェーン２５およびステップチェーン３２に給油ノズル３６ａ，３６ｂから潤滑油の供給を行う。コントローラ５０は、例えば、エスカレータ１０の稼動時間を積算して、積算稼働時間が所定時間になったときにポンプ４６を作動させて給油を行う。このとき、ポンプの作動時間は、例えば、ステップチェーン３２が給油ノズル３６ｂの対向位置を一巡するのに要する時間以上に設定されている。
【００４０】
次に、コントローラ５０は、ステップＳ１２において、上記のような給油が行われているときに、圧力センサ３８ａ，３８ｂによって検出される給油圧を取得する。そして、続くステップＳ１４において、給油圧が適正か否かを判定する。この判定では、圧力センサ３８ａ，３８ｂによる検出圧力がＲＯＭから読み出した適正範囲内にあるか否かによって行う。
【００４１】
そして、給油圧が適正であると判定されたとき（ステップＳ１４でＹＥＳ）、そのまま処理を終了する。一方、給油圧が適正でないと判定されたとき（ステップＳ１４でＮＯ）、コントローラ５０は発報信号を生成して情報センタ５４に送信する。これにより、情報センタ５４から出向いた保守員等が潤滑油の供給状態を確認することで、チェーンへの潤滑油供給不良を適時かつ容易に発見して対応することができる。
【００４２】
ここで、検出圧力が適正範囲を外れる原因としては、例えば、給油ノズルの詰まりによって潤滑油が適正に吐出されていないために給油圧が高くなる、給油配管の破損等によって潤滑油が漏出しているために給油圧が低くなる等が考えられる。
【００４３】
上述したように、本実施形態の給油監視システム１によれば、ポンプ４６の作動によって給油ノズル３６ａ，３６ｂに潤滑油が供給されたときに圧力センサ３８ａ，３８ｂによって検出される給油圧が予め設定された適正範囲内にない場合にコントローラ５０によって発報信号を生成する構成としたので、給油ノズル３６ａ，３６ｂからチェーン２５，３２に適正量の潤滑油が供給されていないことを適時に且つ容易に検知することができ、チェーン２５，３２の潤滑油不足による発錆を効果的に防止することができる。
【００４４】
＜第２実施形態＞
次に、図４及び図５を参照して、第２実施形態の給油監視システム１Ａについて説明する。図４は第２実施形態の給油監視システム１Ａの構成を示すブロック図あり、図５は図４の給油監視システム１Ａのコントローラ５０における処理手順を示すフローチャートである。ここでは、上記第１実施形態の給油監視システム１と異なる構成および動作についてのみ説明することとし、同一構成に同一符号を付して説明を省略する。
【００４５】
図４に示すように、給油監視システム１Ａには、潤滑油の温度を検出するための温度センサ５６が設けられている。本実施形態では、温度センサ５６はモータ２４やポンプ４６等が配置されている例えば上階機械室内の周囲温度を検出するもので、この周囲温度を潤滑油の温度として用いることができる。ただし、これに限定されるものではなく、例えば、温度センサ５６をタンク４８内の潤滑油温度を直接検出するものであってもよいし、あるいは、給油配管４０ａ，４０ｂや給油ノズル３６ａ，３６ｂの温度を検出して潤滑油温度として用いてもよい。
【００４６】
コントローラ５０のＲＯＭには、各給油ノズル３６ａ，３６ｂによって潤滑油が適正に供給されるときの給油圧範囲が、潤滑油の温度に対応して予め記憶されている。この給油圧範囲は、実験、シミュレーション、経験等に基づいて得られた数値範囲を設定することができる。また、潤滑油の吐出状態が異なる給油ノズル３６ａと３６ｂとでは、異なる給油圧範囲が適正範囲として設定されている。また、温度が低下すると潤滑油の粘性が上昇して給油圧が高くなる傾向があるため、適性な給油圧範囲もまた潤滑油温度が低下すると高圧側へシフトした圧力範囲に設定変更される。他の構成は、第１実施形態の給油監視システム１と同様である。
【００４７】
続いて、第２実施形態の給油監視システム１Ａの動作について図５を参照して説明する。図５に示すように、コントローラ５０は、ステップＳ１０において、ポンプ４６を作動させてチェーン２５，３２への給油を行う。
【００４８】
次に、コントローラ５０は、ステップＳ１８において、温度センサ５６によって検出される温度を取得する。そして、続くステップＳ２０において、上記温度に応じた適正給油圧範囲をＲＯＭから読み出して取得する。
【００４９】
次に、コントローラ５０は、ステップＳ１４において、給油圧が適正か否かを判定する。この判定では、圧力センサ３８ａ，３８ｂによる検出圧力がＲＯＭから読み出した適正給油圧範囲内にあるか否かによって行う。
【００５０】
そして、給油圧が適正であると判定されたとき（ステップＳ１４でＹＥＳ）、そのまま処理を終了する。一方、給油圧が適正でないと判定されたとき（ステップＳ１４でＮＯ）、コントローラ５０は発報信号を生成して情報センタ５４に送信する。これにより、情報センタ５４から出向いた保守員等が潤滑油の供給状態を確認することで、チェーンへの潤滑油供給不良を適時かつ容易に発見して対応することができる。
【００５１】
このように第２実施形態の給油監視システム１Ａによれば、給油ノズル３６ａ，３６ｂからチェーン２５，３２に適正量の潤滑油が供給されていないことを適時に且つ容易に検知することができ、チェーン２５，３２の潤滑油不足による発錆を効果的に防止することができる。これに加えて、潤滑油の温度を考慮して適性給油圧範囲を変更することにより、給油が適正に行われているか否かをより正確に判定することが可能になる。
【００５２】
＜第３実施形態＞
続いて、図６及び図７を参照して第３実施形態の給油監視システム１Ｂについて説明する。図６は第３実施形態の給油監視システム１Ｂの構成を示すブロック図あり、図７は図６の給油監視システム１Ｂのコントローラ５０における処理手順を示すフローチャートである。ここでは、上記第１及び第２実施形態の給油監視システム１，１Ａと異なる構成および動作についてのみ説明することとし、同一構成に同一符号を付して説明を省略する。
【００５３】
図６に示すように、圧力センサ３８ａ，３８ｂより給油ノズル３６ａ，３６ｂに近い位置の給油配管４０ａ，４０ｂ上に圧力調整弁３７ａ，３７ｂが設けられている。これらの圧力調整弁３７ａ，３７ｂは、例えばエスカレータ保守員が各給油ノズル３６ａ，３６ｂからの潤滑油の吐出状態を手動操作によって調整することができるようにするための調整弁である。これらの圧力調整弁３７ａ，３７ｂはコントローラ５０と信号線が接続されており、圧力調整弁３７ａ，３７ｂの弁開度が変更されたとき弁開度情報がコントローラ５０に送信されるように構成されている。
【００５４】
コントローラ５０のＲＯＭには、各給油ノズル３６ａ，３６ｂによって潤滑油が適正に供給されるときの給油圧範囲が、潤滑油の温度と圧力調整弁の弁開度とに対応して予め記憶されている。この給油圧範囲は、実験、シミュレーション、経験等に基づいて得られた数値範囲を設定することができる。また、潤滑油の吐出状態が異なる給油ノズル３６ａと３６ｂとでは、異なる給油圧範囲が適正範囲として設定されている。また、温度が低下すると潤滑油の粘性が上昇して給油圧が高くなる傾向があるため、適性な給油圧範囲もまた潤滑油温度が低下すると高圧側へシフトした圧力範囲に設定変更される。さらに、圧力調整弁３７ａ，３７ｂの弁開度が大きくなると適正な給油圧範囲は低くなる一方、弁開度が小さくなると適性は給油圧範囲が高くなるので、各弁開度に応じて適正な給油圧範囲を選択して設定変更する。他の構成は、第１実施形態の給油監視システム１と同様である。
【００５５】
続いて、上記の構成を有する給油監視システム１Ｂの動作について図７を参照しながら説明する。図７に示すように、コントローラ５０は、ステップＳ１０において、ポンプ４６を作動させてチェーン２５，３２への給油を行う。
【００５６】
次に、コントローラ５０は、ステップＳ２２において、温度センサ５６によって検出される温度を取得するとともに、圧力調整弁３７ａ，３７ｂの弁開度情報を取得する。そして、続くステップＳ２４において、上記温度と上弁開度情報に応じた適正給油圧範囲をＲＯＭから読み出して取得する。
【００５７】
次に、コントローラ５０は、ステップＳ１４において、給油圧が適正か否かを判定する。この判定では、圧力センサ３８ａ，３８ｂによる検出圧力がＲＯＭから読み出した適正給油圧範囲内にあるか否かによって行う。
【００５８】
そして、給油圧が適正であると判定されたとき（ステップＳ１４でＹＥＳ）、そのまま処理を終了する。一方、給油圧が適正でないと判定されたとき（ステップＳ１４でＮＯ）、コントローラ５０は発報信号を生成して情報センタ５４に送信する。これにより、情報センタ５４から出向いた保守員等が潤滑油の供給状態を確認することで、チェーンへの潤滑油供給不良を適時かつ容易に発見して対応することができる。
【００５９】
このように第３実施形態の給油監視システム１Ｂによれば、給油ノズル３６ａ，３６ｂからチェーン２５，３２に適正量の潤滑油が供給されていないことを適時に且つ容易に検知することができ、チェーン２５，３２の潤滑油不足による発錆を効果的に防止することができる。これに加えて、潤滑油の温度を考慮して適性給油圧範囲を変更することにより、給油が適正に行われているか否かをより正確に判定することが可能になる。さらに加えて、保守員等が手動で給油圧調整を行ったことを考慮して適性な給油圧範囲を設定することで、給油が適正に行われているか否かをさらに正確に判定することが可能になる。
【００６０】
なお、本発明は、上述して各実施形態およびその変形例に限定されるものではなく、特許請求の範囲に記載された事項およびその均等な範囲内で種々の変更や改良が可能である。
【００６１】
例えば、コントローラ５０は、温度センサ５６によって検出される潤滑油の温度が所定温度より低いとき、ポンプ４６の回転数を増加させて、給油ノズル３６ａ，３６ｂから駆動チェーン２５およびステップチェーン３２に供給される潤滑油の量をそれぞれ一定にしたうえで、給油圧が適正か否かを判定してもよい。このようにすることで、各チェーン２５，３２に供給される潤滑油の供給量を温度にかかわらず安定させることができ、チェーン２５，３２の防錆および潤滑を良好に行うことができる。
【００６２】
また、本発明は、各踏段が面一をなした状態で水平方向に又は傾斜して移動する動く歩道等の乗客コンベヤに適用されてもよい。
【符号の説明】
【００６３】
１，１Ａ，１Ｂ  給油監視システム、１０  エスカレータ、１２  トラス、１２ａ  上部トラス部、１２ｂ  下部トラス部、１２ｃ  傾斜トラス部、１４  移動手摺、１６  欄干部、１８  上階乗降口、２０  下階乗降口、２２，３４  ランディングプレート、２４  モータ、２５  駆動チェーン、２６  駆動スプロケット、２８  従動スプロケット、３０  踏段、３２  ステップチェーン、３６ａ，３６ｂ  給油ノズル、３７ａ，３７ｂ  圧力調整弁、３８ａ，３８ｂ  圧力センサ、４０ａ，４０ｂ，４４ａ，４４ｂ  給油配管、４２  配管ジョイント、４６  ポンプ、４８  タンク、５０  コントローラ、５２  インバータ装置、５４  情報センタ、５６  温度センサ。
【図１】
2014094806.tif 000003
【図２】
2014094806.tif 000004
【図３】
2014094806.tif 000005
【図４】
2014094806.tif 000006
【図５】
2014094806.tif 000007
【図６】
2014094806.tif 000008
【図７】
2014094806.tif 000009